(57)【要約】電源入力コードを電力分配ユニットに対して２つ以上の異なる方位に配置することを可能にする装置及びデバイスが提供される。電力分配ユニットに、入力コードの旋回を可能にする１つ以上の入力コード組立体を提供して、コードが異なる角度で電力分配ユニットの外面を出るようにすることができる。こうした組立体は、電力分配ユニットを、柔軟で便利な方法で機器ラック内に配置し、入力電源と結合させることを可能にする。機器ラックの間隔及び寸法を変更して、設備内のスペース利用、効率及び／又は密度を向上させることができる。【選択図】図５
2015527710.tif 000002
【特許請求の範囲】
【請求項１】
電源入力組立体装置であって、
ハウジングを通る開口部を含む前記ハウジングと、
前記ハウジング内に配置され、前記ハウジングに回転可能に固定される回転部材と、
前記開口部を通って延び、前記回転部材と結合される電源入力コードと、
を含み、
前記回転部材は、前記ハウジングの長手方向軸に対して２つ以上の異なる方位に回転可能であり、これにより、前記電源入力コードが、２つ以上の異なる角度で前記ハウジングから出ることが可能になるように構成される、装置。
【請求項２】
前記回転部材を、前記ハウジング内において２つ以上の異なる方位のうちの１つに固定するように構成されたロック機構をさらに含む、請求項１に記載の装置。
【請求項３】
前記ロック機構は、前記回転部材に固定され得るラッチを含む、請求項２に記載の装置。
【請求項４】
電力分配ユニットの他の部分に隣接した前記ハウジングの第１の端部に配置された障壁をさらに含み、前記障壁は、前記第１の端部を物体又は物質が通過することを防止するように構成される、請求項１に記載の装置。
【請求項５】
前記回転部材からの前記電源入力コードの出口点は、電力分配ユニット内の導体の動きを最小にするように配向される、請求項１に記載の装置。
【請求項６】
前記回転部材装置は、前記電源入力コードのための負荷軽減デバイスとして働く、請求項１に記載の装置。
【請求項７】
前記回転部材と結合され、ある範囲の電源コードの直径に適合するように前記回転部材の有効幅を低減させるように構成される１つ以上の挿入体をさらに含む、請求項１に記載の装置。
【請求項８】
前記ハウジングは、電力分配ユニットの構成要素である、請求項１に記載の装置。
【請求項９】
前記電源入力コードは、多相電源入力コードを含む、請求項１に記載の装置。
【請求項１０】
前記ハウジングは、電力分配ユニットの別のモジュールに固定され得る複数のモジュール取り付けタブを含む、請求項１に記載の装置。
【請求項１１】
前記回転部材は、多部品組立体である、請求項１に記載の装置。
【請求項１２】
電力分配ユニットを組み立てるための方法であって、
ハウジングを通る開口部を含む前記ハウジングを準備するステップと、
前記ハウジング内に回転部材を回転可能に固定するステップと、
前記ハウジング内に電源入力コードを固定し、前記電源コードを前記回転部材と結合させるステップであって、前記ハウジング内に固定されると前記電源入力コードが前記開口部を通って延びる、ステップと、
を含み、
前記回転部材は、前記ハウジングの長手方向軸に対して２つ以上の異なる方位に回転可能であり、これにより、前記電源入力コードが２つ以上の異なる角度で前記ハウジングから出ることが可能になるように構成される、方法。
【請求項１３】
ロック機構を、前記ハウジング及び前記回転部材と結合させるステップをさらに含み、前記ロック機構は、前記ハウジング内において前記回転部材を２つ以上の異なる方位のうちの１つに固定するように構成される、請求項１２に記載の方法。
【請求項１４】
前記ロック機構は、前記回転部材に固定され得るラッチを含む、請求項１３に記載の方法。
【請求項１５】
電力分配ユニットの他の部分に隣接した前記ハウジングの第１の端部に障壁を固定するステップをさらに含み、前記障壁は、前記第１の端部を物体又は物質が通過することを防止するように構成される、請求項１２に記載の方法。
【請求項１６】
前記回転部材装置は、前記電源入力コードのための負荷軽減デバイスとして働く、請求項１２に記載の方法。
【請求項１７】
ある範囲の電源コードの直径に適合させるように、１つ以上のシムを前記回転部材内に挿入して前記回転部材の有効幅を減少させるステップをさらに含む、請求項１２に記載の方法。
【発明の詳細な説明】
【関連出願の相互参照】
【０００１】
[0001]本出願は、その開示全体が引用により本明細書に組み入れられる、「ＭＵＬＴＩ−ＰＯＳＩＴＩＯＮ  ＩＮＰＵＴ  ＣＯＲＤ  ＡＳＳＥＭＢＬＹ  ＦＯＲ  Ａ  ＰＯＷＥＲ  ＤＩＳＴＲＩＢＵＴＩＯＮ  ＵＮＩＴ」という名称の、２０１２年７月２６日に出願された米国仮特許出願第６１／６７５，９２１号の優先権の利益を主張する。
【技術分野】
【０００２】
[0002]本開示は、電力分配ユニットに向けられ、より具体的には、多位置（ｍｕｌｔｉ−ｐｏｓｉｔｉｏｎ）電源入力部を有する電力分配ユニットに向けられる。
【背景技術】
【０００３】
[0003]従来の電力分配ユニット（ＰＤＵ：Ｐｏｗｅ  Ｄｉｓｔｒｉｂｕｔｉｏｎ  Ｕｎｉｔ）は、電源から電力を受け取り、１つ以上の別個の電子機器に電力を分配する電気コンセント（レセプタクルとも呼ばれる）の組立体である。こうしたユニット各々は、電源から電力を受け取る電源入力部と、電力を電子機器に供給するために用いることができる電源コンセントコードとを有する。ＰＤＵは、例えば電子機器ラック内又は電子機器ラック上などの多くの適用及び設定において用いられる。１つ以上のＰＤＵは、一般に、機器ラック（又は、他のキャビネット）内に配置され、かつ、ＰＤＵハウジングの外部にあっても又はその内部に収容してもよい、環境モニタ、温度湿度センサ、ヒューズモジュール又は通信モジュール等のＰＤＵに接続された他のデバイスと共に設置することができる。機器ラック又はキャビネット内に取り付け可能なＰＤＵは、キャビネットＰＤＵ又は手短に「ＣＤＵ」と呼ばれることもある。
【０００４】
[0004]ＰＤＵの一般的用法は、データセンタ又はサーバファームなどのコンピュータ設備（ｆａｃｉｌｉｔｙ）内の電子機器に動作電力を供給することである。こうしたコンピュータ設備は、キャビネット又はラックと呼ばれることもある矩形又は箱形のハウジング、機器を取り付けるための関連する構成要素、関連する通信ケーブル、及び関連する電力分配ケーブルを含む、電子機器ラックを含むことができる。電子機器は、種々の電子デバイスをラック内で垂直方向に順に重ねるように並べて、こうしたラック内に取り付けることができる。１つ以上のＰＤＵを用いて、電力を電子機器に供給することができる。複数のラックを並べて配置できるが、各々のラックは、多くの電子構成要素を収容し、ラックが占める区域の内及び外の両方に相当量の関連した構成要素の配線が配置されている。こうしたラックは、一般に、企業ネットワークと呼ばれる企業向けのコンピュータ・ネットワークで使用される機器をサポートする。
【０００５】
[0005]既述のように、各々が１つ以上の関連したＰＤＵを有する多数の機器ラックをデータセンタ又はサーバファーム内に配置することができる。様々な機器ラックは、異なる構成を有し、異なる位置の入力電源を含むことがある。１つ以上のこうしたデータセンタは、企業のためのデータ通信ハブとして働くことができる。容易に認識されるように、任意の所定のボリュームに対するコンピュータ・リソースの最大化が望ましい場合に、機器ラック内のスペースは有用である。
【発明の概要】
【０００６】
[0006]電源入力コードを電力分配ユニットに対して２つ以上の異なる方位に配置することを可能にする装置及びデバイスが提供される。コードが異なる角度で電力分配ユニットの外面を出るように、電力分配ユニットに、入力コードの旋回（ｓｗｉｖｅｌ）を可能にする１つ以上の入力コード組立体を提供することができる。こうした組立体は、電力分配ユニットを、柔軟で便利な方法で機器ラック内に配置し、入力電源と結合させることを可能にする。機器ラックの間隔及び寸法を変更して、設備内のスペース利用、効率及び／又は密度を向上させることができる。
【０００７】
[0007]上記は、以下の詳細な説明をよりよく理解できるように、本開示による例の特徴及び技術的利点をやや広範に概説してきた。さらなる特徴及び利点は、以下に説明される。開示される概念及び具体例は、変更のため又は本開示と同じ目的の遂行のために他の構造体を設計するための基礎として容易に利用することができる。こうした同等の構成は、添付の特許請求の範囲の趣旨及び範囲から逸脱するものではない。本明細書に開示される概念の特性であると考えられる特徴は、添付図面と共に考察されるとき、その機構及び動作方法の両方に関して、関連した利点と共に以下の説明からよりよく理解されるであろう。図面の各々は、例証及び説明目的のためのみに与えられたものであり、特許請求の範囲の限定の定義として与えられるものではない。
【０００８】
[0008]以下の図面を参照して、本発明の性質及び利点のさらなる理解を実現することができる。添付図面において、同様の構成要素又は特徴は同じ参照ラベルを有し得る。
【図面の簡単な説明】
【０００９】
【図１】種々の実施形態による電力分配ユニットの正面図である。
【図２】コードがＰＤＵハウジングに対して様々な位置で配置された電力分配ユニットを示す。
【図３】コードがＰＤＵハウジングに対して様々な位置で配置された電力分配ユニットを示す。
【図４】コードがＰＤＵハウジングに対して様々な位置で配置された電力分配ユニットを示す。
【図５】種々の実施形態によるスイベル入力コード組立体組立体の図を示す。
【図６】種々の実施形態によるスイベル入力コード組立体の図を示す。
【図７】種々の実施形態によるスイベル入力コード組立体の図を示す。
【図８】種々の実施形態によるスイベル入力コード組立体を示す。
【図９】種々の実施形態による、別のスイベル入力コード組立体を示す。
【発明を実施するための形態】
【００１０】
[0014]この説明は例を提供するが、本発明の範囲、適用可能性又は構成を限定することを意図するものではない。むしろ、この後の説明は、当業者に対して、本発明の実施形態の実施のための使用可能な説明を与える。要素の機能及び構成において種々の変更を行うことができる。
【００１１】
[0015]従って、種々の実施形態は、必要に応じて、種々の手順又は構成要素を省略、代用又は付加することができる。例えば、種々の他の実施形態において、特定の実施形態に関して説明された態様及び要素を組み合わせることができる。以下のシステム、デバイス及び構成要素は、個々に又はまとめてより大きいシステムの構成要素とすることができ、そこで、他の手順を優先させてもよく、又は他の方法でそれらの適用を変更してもよいことも理解されたい。
【００１２】
[0016]以下の特許及び特許出願：つまり、「Ｖｅｒｔｉｃａｌ−Ｍｏｕｎｔ  Ｅｌｅｃｔｒｉｃａｌ  Ｐｏｗｅｒ  Ｄｉｓｔｒｉｂｕｔｉｏｎ  Ｐｌｕｇｓｔｒｉｐ」という名称の２００６年５月９日に発行された米国特許第７，０４３，５４３号、「Ｐｏｗｅｒ  Ｄｉｓｔｒｉｂｕｔｉｏｎ  Ｕｎｉｔ  Ａｎｄ  Ｍｅｔｈｏｄｓ  Ｏｆ  Ｍａｋｉｎｇ  Ａｎｄ  Ｕｓｅ  Ｉｎｃｌｕｄｉｎｇ  Ｍｏｄｕｌａｒ  Ｃｏｎｓｔｒｕｃｔｉｏｎ  Ａｎｄ  Ａｓｓｅｍｂｌｉｅｓ」という名称の２０１１年８月２日に発行された米国特許第７，９９０，６８９号、「Ｐｏｗｅｒ  Ｄｉｓｔｒｉｂｕｔｉｏｎ，Ｍａｎａｇｅｍｅｎｔ，ａｎｄ  Ｍｏｎｉｔｏｒｉｎｇ  Ｓｙｓｔｅｍｓ」という名称の２００８年１２月２６日に出願された米国特許出願第１２／３４４，４１９号、及び「Ｍｏｎｉｔｏｒｉｎｇ  Ｐｏｗｅｒ−Ｒｅｌａｔｅｄ  Ｐａｒａｍｅｔｅｒｓ  ｉｎ  ａ  Ｐｏｗｅｒ  Ｄｉｓｔｒｉｂｕｔｉｏｎ  Ｕｎｉｔ」という名称の２０１０年３月４日に出願された米国特許出願第１２／７１７，８７９号は、その全体が引用により本明細書に組み入れられる。
【００１３】
[0017]電力分配ユニット（ＰＤＵ）のための電源入力コードが、ＰＤＵハウジングに対して２つ以上の異なる方位に配置される、システム及びデバイスが説明される。コードが異なる角度でＰＤＵの外面から出ることができるように、入力コードの旋回を可能にする１つ以上の入力コード組立体をＰＤＵに提供することができる。こうした組立体により、ＰＤＵが、柔軟かつ便利な方法で機器ラック内に配置し、入力電源と結合することが可能になる。機器ラックの間隔及び寸法を変更して、設備内のスペース利用、効率及び／又は密度を高めることができる。こうした入力コード組立体により、輸送の際にＰＤＵをより効率的に包装することも可能になる。
【００１４】
[0018]図１は、スイベル入力コード組立体１００と、インテリジェント・パワーモジュール２００と、通信機能をもたらす通信モジュール６６と、環境監視ポート６８と、関連したプラグ７２を有する入力電源コード７０とを含むＰＤＵ６５の図である。本実施形態によるＰＤＵ６５は、機器ラック内に垂直方向に取り付け可能なハウジングを含むが、水平方向に取り付け可能なハウジングなどの他の形状因子を用い得ることが理解されるであろう。インテリジェント・パワーモジュール２００はそれぞれ、機器ラック内に取り付けることができる資源に電力を供給する８つのコンセント２０２〜２１６を含む。こうした機器ラックはよく知られており、多くの場合、データセンタの稼働において用いられる幾つかの個別の資源を含む。よく知られているように、データセンタ内に、多くの機器ラックを含ませることができ、種々の実施形態においては、各機器ラック内の各資源を、１つ以上の関連したＩＰＭ２００を通じて、電力使用量に関して監視することができる。ＰＤＵ６５内に、視覚的表示装置２３（数字「５７」を表示するように示される）が配置されるが、他の実施形態においては、表示装置はＰＤＵ６５の外部にあってもよく、複数の情報項目を表示してもよく、及び／又は複数の別個の表示装置を含んでもよい。
【００１５】
[0019]種々の実施形態による入力コード組立体１００は、入力電源コード７０が、複数の異なる角度のうちの１つでＰＤＵハウジングの面から出るのを可能にするスイベル組立体を含む。こうした組立体１００により、必要とされる屈曲が少なくなるように入力電源コード７０を配置することが可能になる、又は入力電源コード７０を電源に接続するときに、より容易に屈曲させることが可能になる。理解されるように、機器ラックは、入力電源を種々の異なる位置及び方位でラックに提供することを可能にする。特定のラックにおいて電源が配置される場所に応じて、例えば、ＰＤＵハウジングの前部又は端部のいずれかから入力電源コードが出てくるＰＤＵが必要とされ得る。従って、ＰＤＵの構成は、具体的には、電源に関する機器ラック内の位置に基づいて選択することができる。ＰＤＵは、こうしたＰＤＵを異なるラック内に配置することが後で望まれる場合には、使用できないこともあり、又は異なるラックが異なる位置に提供された入力電源を有するのであれば、変更を必要とすることがある。入力コード組立体１００を備えたこうしたＰＤＵは、入力コード７０をＰＤＵハウジングに対して移動させることを可能にし、従って、こうした入力コード組立体１００を有さないＰＤＵと比較すると、こうしたＰＤＵを多数の異なる用途に用いることが可能になる。さらに、こうした特徴は、部品の数をより少なくし、ＰＤＵの供給者及び購入者に対して必要とされるオプション選択をより少なくすることを可能にする。さらに、こうした入力コード組立体１００は、ＰＤＵの入力電源コード７０が、ＰＤＵの輸送の際に輸送箱の中により便利に配置されることを可能にし、かつ、こうしたＰＤＵの輸送時に、輸送箱のサイズの低減及び／又は輸送材料の低減を可能にする。認識されるように、サイズ及び／又は重量が低減した箱は、輸送費用の低減をもたらすこともできる。
【００１６】
[0020]引き続き図１を参照すると、ＰＤＵ６５の幾つかの他の要素が説明される。一実施形態において、電源コンセントモジュール２００は、ハウジング内に収容された、各々がＮＥＭＡ５−２０Ｒタイプの８つのコンセント（２０２〜２１６）を含む。この実施形態及び他の実施形態ではＮＥＭＡ５−２０Ｒタイプのコンセントを有するものとして本明細書に記載されるが、これは単なる例示にすぎず、他の種々のタイプのコンセントのいずれかを代替的に使用できることが理解されるであろう。例えば、「コンセント」は、他のＮＥＭＡタイプ（例えば、ＮＥＭＡ５−１５Ｒ、ＮＥＭＡ６−２０Ｒ、ＮＥＭＡ６−３０Ｒ、又はＮＥＭＡ６−５０Ｒ）、又は種々のＩＥＣタイプ（例えば、ＩＥＣ  Ｃ１３又はＩＥＣ  Ｃ１９）のいずれかであってもよい。また、特定の電源コンセントモジュール２００における全ての「コンセント」、又は本明細書に記載される他のモジュール・コンセントは同一である必要がないこと、又はＰＤＵに沿って均一に配向する必要がないことも理解されるであろう。同様に、「コンセント」は、３つの差込口を有する（ｔｈｒｅｅ  ｐｒｏｎｇｅｄ）レセプタクルに限定されるものではなく、代替的に、嵌合式オス型コネクタに２つ以上の差込口を有するように「コンセント」の１つ以上を構成できることも理解されるであろう。さらに、「コンセント」は、メス型差込口レセプタクルを有するものに限定されないことも理解されるであろう。いずれの「コンセント」においても、状態又はニーズに応じて、「差込口レセプタクル」の１つ以上をメス型接続要素ではなくオス型としてもよい。一般に、本明細書で使用される場合、オス型及びメス型の「差込口レセプタクル」は、「電源接続要素」と呼ばれる。さらに、本明細書に記載する原理はまた、コンセントモジュールに配線接続できるデバイスにも適用可能である。本実施形態のコンセントモジュール２００は８つのコンセントを含むが、これは一例にすぎず、コンセントモジュールは異なる数のコンセントを含み得ることも理解されるであろう。
【００１７】
[0021] 当業者には周知であるように、コンセントモジュール用のハウジングは、こうしたデバイスに適した任意のハウジングとすることができ、ＰＤＵ内の他のモジュールと共に組み立てることができる。こうしたハウジングは、一般に、前部及び後部を含み、前部は略平坦であり、後部は略平坦でありかつ前部に対して平行である。ハウジングはまた、長手方向に延びる側部及び横端部も含む。前部、後部、側部及び端部は一般に、略矩形又は箱型の構成で互いに直交している。ハウジングは、例えば硬質ポリマー（「プラスチック」）材料を含む、適切で典型的には硬質の任意の材料から作製することができる。少なくとも特定の実施形態においては、前部及び後部は電気絶縁材料から作製されるのに対し、他の実施形態においては、安全な接地結合のために、導電性材料が使用される。側部及び端部を一体的に形成することができ、随意的に前部又は後部と共に一体的に形成することができる。さらに、本実施形態で記載するコンセントモジュールはハウジングを含むが、他の実施形態はハウジングを含まないコンセントモジュールを含むことがある。例えば、コンセントモジュールを、外部ハウジングを設けずに互いに結合し、次いで別の機器の部分に取り付けることができる、多数のコンセントを含むことができる。各コンセント２０２〜２１６は、Ｕ字形端子、プラグ型コネクタ、ねじ式コネクタ、又は他の適切なタイプのコネクタ等の多数の周知の接続機構のいずれかを介して電源３２に相互接続される。さらに、電源コンセントモジュールがハウジングを含む実施形態において、必要に応じて、これらの電気コネクタのうちの１つ以上をハウジング内部又はハウジング外部に配置させることができる。
【００１８】
[0022]ここで図２〜図４を参照すると、種々の実施形態の、入力コード組立体を有するＰＤＵ２００が説明される。これらの図において、ＰＤＵ２００は、ＰＤＵハウジング２０５及び入力電源コード２１０を含む。これらの図面は、こうしたＰＤＵ２００の側面図を示し、その前面及び／又は後面上に多数のコンセントを含むことができる。図２は、ＰＤＵハウジング２０５の長手方向軸に対して約９０度の角度で、ＰＤＵハウジング２０５から離れるように延びる入力電源コード２１０を示す。図３は、ＰＤＵハウジング２０５の長手方向軸に対して約４５度の角度で、ＰＤＵハウジング２０５から離れるように延びる入力電源コード２１０を示す。最後に、図４は、ＰＤＵハウジング２０５の長手方向軸に対して平行な方向に、ＰＤＵハウジング２０５から離れるように延びる入力電源コード２１０を示す。
【００１９】
[0023]図５〜図７に示すような幾つかの実施形態において、入力コードモジュール５００は、入力コード５０５を幾つかの異なる位置に配置することを可能にするスイベル組立体を含むことができる。入力コード５０５は、電源のレセプタクルに差し込むことができるプラグ組立体５１０を含むことができる。しかしながら、異なるプラグ構成又は入力電源への入力コード５０５の導体の配線接続といった、入力電源コード５０５及びプラグ５１０の他の構成を用い得ることが理解されるであろう。入力コードモジュール５００は、開口部５２０を通って入力電源コード５０５が延びる開口部５２０を有するモジュールハウジング５１５を含む。電源コード５０５は、ハウジング５１５に対して回転することができる回転接続部５２５に接続される。導体５３０は、ハウジング５１５から延び、ＰＤＵの他の構成要素と結合することができる。図５〜図７の図において、入力コードモジュール５００は、ＰＤＵを形成するために組み立てられた他のモジュールの相補的受け部材と結合することができるモジュールコネクタ５３５を含む。幾つかの実施形態において、導体５３０は、入力コード５０５と結合され、ハウジング５１５内での十分な弛みが与えられて、９０度の移動を通じて回転接続部５２５が回転するのを可能にする。しかしながら、入力コード５０５についてのより大きい又はより小さい回転範囲に適合させ得ることも理解されるであろう。当業者であれば容易に認識するように、電源入力コード５０５及びプラグ５１０は、多数の異なる構成を有することができる。例えば、入力コード５０５及びプラグ５１０は、３相電源等の電源への多相接続部を提供することができる。幾つかの実施形態においては、ＰＤＵがデュアル電源入力部を有することができ、電源入力部の各々に入力コードモジュール５００が提供される。回転する入力コードモジュール５００からの電源コード５０５の出口点は、電力分配ユニット内でのワイヤの動きを最小にするように配向することができる。これは、装置をより小さく作製できるという点、及び、ワイヤが電力分配ユニットに取り付けられる接続点にかかる負荷が少ないという点で有利である。モジュール５００はまた、電源コード５０５のための「負荷軽減（ｓｔｒａｉｎ  ｒｅｌｉｅｆ）」として働くこともでき、これは電力分配ユニットの安全要件と関連付けられる。モジュール５００は、幾つかの実施形態によると、回転接続部５２５内の挿入体を用いて接続部の直径を事実上小さくすることによって、ある範囲の電源コードの直径に適合させることができる。比較的小さく低コストの挿入体を用いて当該範囲の直径を実現することにより、各入力コードの直径に対して固有の回転装置を提供する能力がもたらされる。
【００２０】
[0024]ここで図８を参照すると、他の実施形態の入力コードモジュール８００が説明される。図８の図において、入力コードモジュール８００は、ハウジングに対して特定の角度で入力コード５０５を固定するために回転部材５２５とラッチ係合できるロック機構８０５及び引張部材８１０を含む。このような方法で、入力電源コード５０５を所定の位置に比較的しっかりと保持することができる。こうした引張部材は、工具を必要とせずに、ＰＤＵ内の入力電源コードの位置を変更する能力をもたらす。
【００２１】
[0025]図９を参照すると、さらに他の実施形態の入力コードモジュール９００が説明される。図９の説明図において、入力コードモジュール９００は、ハウジングに対して特定の角度で入力コード５０５を固定するために、回転部材５２５内の孔又はキャビティと係合できるロック機構８０５及び引張ピン８１０を含む。このような方法で、入力電源コード５０５を所定の位置に比較的しっかりと保持することができる。幾つかの実施形態によると、回転部材５２５は、入力コード５０５の５つのロック位置を可能にする孔を有し、各々の位置は、隣接した位置から約２２．５度である。図９の図において、入力コードモジュールはまた、主筐体部材９０５、ダストシールド９１０、筐体カバー９１５、スイベル上部ハウジング９２０、スイベル下部ハウジング９２５、及び筐体プレート９３０も含む。これらの品目の各々を組み立てて、見て分かるように個別の構成要素の組立体である入力コードモジュール９００を形成する。本実施形態において、ダストシールド９１０は、安全上又は機能上の問題をもたらすことがある、異物及び／又は内部の構成要素がモジュール９００とＰＤＵの隣接部分との間を通過するのを防止する働きをする。こうしたシールド９１０は、例えば、モジュール９００が、比較的コンパクトでありながら、突発故障の場合には、ＰＤＵから遊離物質又は溶融物質の通過を防止する働きをすることも可能にする。筐体カバー９１５は、モジュール９００のためのハウジング又はハウジングの一部として働く。スイベル上部ハウジング９２０及びスイベル下部ハウジング９２５は、例えば、電源コード５０５が組み立てられたスイベル上部ハウジング９２０及びスイベル下部ハウジング９２５内に保持されるように圧縮された状態で、六角ねじ９３５によりスイベル上部ハウジング９２０及びスイベル下部ハウジング９２５を互いに固定することができる。示されるように、筐体プレート９３０は、主筐体部材９０５と共に組み立てることができる。上記と同様に、モジュール９００は、ＰＤＵハウジングと、又はＰＤＵを形成するために組み立てることができる他のモジュールと結合することができる。
【００２２】
[0026]幾つかの実施形態によると、本開示はまた、電力分配ユニットを組み立てるための方法も提供する。この方法は、図１の電力分配ユニットなどの電力分配ユニットの初期組み立ての際に実行することができ、又は組み立て工程の最終部分とすることもでき、入力部のサイズ、プラグ・タイプ等に関連した特定の顧客ニーズに基づいて、入力部をＰＤＵと組み立てることができる。こうした実施形態において、ハウジングを通る開口部を有するハウジングを提供することができる。回転部材５２５などの回転部材を、ハウジング内に回転可能に固定することができる。次に、電源コードをハウジング内に固定し、回転部材と結合させることができる。ハウジング内に固定されると、電源入力コードは、開口部を通って延びることができ、回転部材は、ハウジングの長手方向軸に対して複数の異なる方位に回転することができ、これにより、電源入力コードが、異なる角度でハウジングから出ることが可能になる。幾つかの実施形態においては、ロック機構をハウジング及び回転部材と結合させることもできる。こうしたロック機構は、ハウジング内において２つ以上の異なる方位のうちの１つに回転部材を固定することができ、例えば、回転部材に固定され得るラッチを含むことができる。障壁は、電力分配ユニットの他の部分に隣接したハウジングの第１の端部に固定することもでき、第１の端部を物体又は物質が通過することを防止する役割を果たすことができる。さらに、幾つかの実施形態においては、１つ以上のシムを回転部材に挿入して、回転部材の有効幅を減少させ、ある範囲の電源コードの直径に適合させることができる。
【００２３】
[0027]本明細書で記載される実施形態は、入力電源コードについて単一の固定位置を有するＰＤＵと比べて幾つかの利益を提供する。例えば、実施形態により、より少ないＰＤＵの部品数を用いて機能を遂行できるようになる。結果として、製造及び購入を簡単化することができる。組立時間及び費用が低減し、信頼性を高めることができる。さらに、実施形態を用いて、こうした特徴をもたない製品よりも小さい包装設置面積を必要とし得る製品を生産することができる。多位置入力コードを有するＰＤＵはまた、入力電源コードについて単一の固定位置を有するＰＤＵと比較すると、より汎用性があり、より広い範囲の用途で使用することもできる。
【００２４】
[0028]上述のシステム及びデバイスは、単なる例であるように意図されることに留意されたい。種々の実施形態が、必要に応じて、種々の手順又は構成要素を省略、代用、又は付加できることを強調する必要がある。例えば、代替的な実施形態においては、特定の実施形態に関して説明された特徴を、種々の他の実施形態において組み合わせることができることを理解されたい。実施形態の異なる態様及び要素を、同様の方法で組み合わせることもできる。また、技術は発展するものであり、多くの要素は、事実上例示的なものであることも強調すべきであり、本発明の範囲を限定するものと解釈されるべきではない。
【００２５】
[0029]実施形態の完全な理解をもたらすために、説明において具体的な詳細が与えられている。しかしながら、当業者であれば、実施形態は、これらの具体的な詳細なしに実施できることが理解されるであろう。例えば、実施形態を分かりににくくするのを避けるために、周知の回路、構造体及び技術は、不必要な詳細なしに示されている。
【００２６】
[0030]幾つかの実施形態を説明したが、当業者であれば、本発明の趣旨から逸脱することなく、種々の変更、代替的構成及び等価物を用い得ることを認識するであろう。例えば、上記の要素は、単に、より大きいシステムの構成要素としてもよく、そこで、他の法則が本発明の適用に優先してもよく、又は他の方法でそれを変更してもよい。また、上記の要素を検討する前、間又は後に、多数のステップを行うことができる。従って、上記の説明は、本発明の範囲を限定するものと解釈すべきではない。
【図１】
2015527710.tif 000003
【図２】
2015527710.tif 000004
【図３】
2015527710.tif 000005
【図４】
2015527710.tif 000006
【図５】
2015527710.tif 000007
【図６】
2015527710.tif 000008
【図７】
2015527710.tif 000009
【図８】
2015527710.tif 000010
【図９】
2015527710.tif 000011
【国際調査報告】
2015527710.tif 000012
2015527710.tif 000013